(57)【要約】【課題】  グリップが屈曲した釣竿の場合に、竿の重心移動を巧みに利用して簡単な操作で安定かつ確実に起立状態に保持することができる屈曲グリップ釣竿用スタンドを提供すること。【解決手段】  屈曲したグリップＧを有する釣竿Ｒを収納するためのスタンドであって、一対の支柱３・３間において、上梁１を奥側に、下梁２を手前側にそれぞれ横架して、前記上梁１における手前側の側縁部には凹入部11を形成する一方、前記下梁２には挿通孔41を有する筒状のブラケットパイプ４を枢支して、かつ、このブラケットパイプ４の枢支部42を、当該挿通孔41の中心軸よりも少なくとも手前側に偏倚した位置に設ける。【選択図】  図４
2016042794.tif 000002
【特許請求の範囲】
【請求項１】
屈曲したグリップ（Ｇ）を有する釣竿（Ｒ）を収納するためのスタンドであって、
一対の支柱（３・３）間において、上梁（１）が奥側に、下梁（２）が手前側にそれぞれ横架されており、
前記上梁（１）における手前側の側縁部には凹入部（11）が形成されている一方、
前記下梁（２）には挿通孔（41）を有する筒状のブラケットパイプ（４）が枢支されており、かつ、このブラケットパイプ（４）の枢支部（42）は、当該挿通孔（41）の中心軸よりも少なくとも手前側に偏倚した位置に設けられており、
釣竿（Ｒ）のグリップ（Ｇ）のグリップエンドが前記ブラケットパイプ（４）の挿通孔（41）を通過したとき、当該グリップ（Ｇ）に存在する釣竿（Ｒ）の重心が当該挿通孔（41）下部に移動することにより、この重心の位置が釣竿（Ｒ）の自重で下降するに連れて前記枢支部（42）を軸としてブラケットパイプ（４）が奥側に回転して、釣竿（Ｒ）のロッド部が奥側に傾倒して前記凹入部（11）内に当接することによって、
グリップエンドが接地せずに釣竿（Ｒ）のロッド部を略鉛直の起立姿勢で保持できるように構成したことを特徴とする屈曲グリップ釣竿用スタンド。
【請求項２】
下梁（２）が手前側と奥側に横架され、かつ、それぞれの下梁（２）にはブラケットパイプ（４）が互い違いに配設されている一方、
上梁（１）におけるこれら手前側および奥側のブラケットパイプ（４）の対応位置に、異なる深さの凹入部（11）が交互に形成されていることを特徴とする請求項１記載の屈曲グリップ釣竿用スタンド。
【請求項３】
ブラケットパイプ（４）の重心よりも上方が下梁（２）に枢支されていることを特徴とする請求項１または２記載の屈曲グリップ釣竿用スタンド。
【請求項４】
ブラケットパイプ（４）の過回転を規制するストッパー（43）が配設されていることを特徴とする請求項１〜３の何れか一つに記載の屈曲グリップ釣竿用スタンド。
【発明の詳細な説明】
【技術分野】
【０００１】
本発明は、釣竿スタンドの改良、更に詳しくは、グリップが屈曲した釣竿の場合に、竿の重心移動を巧みに利用して簡単な操作で安定かつ確実に起立状態に保持することができる屈曲グリップ釣竿用スタンドに関するものである。
【背景技術】
【０００２】
周知のとおり、魚釣りに使用する釣竿には様々な種類があり、基本的には長尺の直棒状を呈している。そして、未使用時に釣竿を保管する際、ロッド部を数ピースに分解できるものや、入子式に収納できるものが存在するが、特にワンピースの場合には、竿の破損防止や安全性の観点から、略鉛直に起立した姿勢で、かつ、省スペースで保管することが好ましい。
【０００３】
従来、このような直棒状の釣竿を起立させて保管するための種々の「釣竿スタンド」が開示されており（例えば、特許文献１参照）、場所を取らず、また、竿先でケガをしたり、竿先を引っ掛けて破損するおそれを防止することができる。
【０００４】
しかしながら、このような釣竿スタンドの場合、カジキマグロなどの大型魚を釣り上げるために用いられるグリップが屈曲した釣竿（トローリングロッド等）を収納しようとすると以下のような問題が生じる。
【０００５】
即ち、従来の釣竿スタンドは、竿の下端（グリップエンド）を接地させてロッド部を保持する構造であるが、グリップが屈曲した釣竿の場合、竿の重心が軸上ではないため、グリップエンドを接地させると、極めて不安定であって竿が転倒してしまい、倒れた竿を誤って踏み付けて破損してしまうおそれがあり、竿を鉛直姿勢に保持するのが困難であるという問題があった。
【先行技術文献】
【特許文献】
【０００６】
【特許文献１】登録実用新案第３０９１０８９号公報
【発明の概要】
【発明が解決しようとする課題】
【０００７】
本発明は、従来の釣竿スタンドに上記のような問題があったことに鑑みて為されたものであり、その目的とするところは、グリップが屈曲した釣竿の場合に、竿の重心移動を巧みに利用して簡単な操作で安定かつ確実に起立状態に保持することができる屈曲グリップ釣竿用スタンドを提供することにある。
【課題を解決するための手段】
【０００８】
本発明者が上記技術的課題を解決するために採用した手段を、添付図面を参照して説明すれば、次のとおりである。
【０００９】
即ち、本発明は、屈曲したグリップＧを有する釣竿Ｒを収納するためのスタンドであって、一対の支柱３・３間において、上梁１を奥側に、下梁２を手前側にそれぞれ横架して、前記上梁１における手前側の側縁部には凹入部11を形成する一方、
前記下梁２には挿通孔41を有する筒状のブラケットパイプ４を枢支して、かつ、このブラケットパイプ４の枢支部42を、当該挿通孔41の中心軸よりも少なくとも手前側に偏倚した位置に設け、
釣竿ＲのグリップＧのグリップエンドが前記ブラケットパイプ４の挿通孔41を通過したとき、当該グリップＧに存在する釣竿Ｒの重心が当該挿通孔41下部に移動することにより、この重心の位置が釣竿Ｒの自重で下降するに連れて前記枢支部42を軸としてブラケットパイプ４が奥側に回転して、釣竿Ｒのロッド部が奥側に傾倒して前記凹入部11内に当接することによって、
グリップエンドが接地せずに釣竿Ｒのロッド部を略鉛直の起立姿勢で保持できるように構成するという技術的手段を採用したことによって、屈曲グリップ釣竿用スタンドを完成させた。
【００１０】
また、本発明は、上記課題を解決するために、必要に応じて上記手段に加え、下梁２を手前側と奥側に横架して、かつ、それぞれの下梁２にはブラケットパイプ４を互い違いに配設する一方、
上梁１におけるこれら手前側および奥側のブラケットパイプ４の対応位置に、異なる深さの凹入部11を交互に形成するという技術的手段を採用することができる。
【００１１】
更にまた、本発明は、上記課題を解決するために、必要に応じて上記手段に加え、ブラケットパイプ４の重心よりも上方を下梁２に枢支するという技術的手段を採用することができる。
【００１２】
更にまた、本発明は、上記課題を解決するために、必要に応じて上記手段に加え、ブラケットパイプ４の過回転を規制するストッパー43を配設するという技術的手段を採用することができる。
【発明の効果】
【００１３】
本発明は、一対の支柱間において、上梁を奥側に、下梁を手前側にそれぞれ横架して、前記上梁における手前側の側縁部には凹入部を形成する一方、前記下梁には挿通孔を有する筒状のブラケットパイプを枢支して、かつ、このブラケットパイプの枢支部を、当該挿通孔の中心軸よりも少なくとも手前側に偏倚した位置に設けたことによって、
釣竿のグリップのグリップエンドが前記ブラケットパイプの挿通孔を通過したとき、当該グリップに存在する釣竿の重心が当該挿通孔下部に移動することにより、この重心の位置が釣竿の自重で下降するに連れて前記枢支部を軸としてブラケットパイプが奥側に回転して、釣竿のロッド部が奥側に傾倒して前記凹入部内に当接することによって、グリップエンドが接地せずに釣竿のロッド部を略鉛直の起立姿勢で保持することができる。
【００１４】
したがって、本発明の屈曲グリップ釣竿用スタンドによれば、一般的な直棒状の釣竿ではなく、グリップが屈曲した釣竿の場合であっても、このような種類の釣竿の重心が主軸上から偏倚している独自の特性に着目し、竿の重心移動を巧みに利用して簡単な操作で安定かつ確実に起立状態に保持することができることから、産業上の利用価値は頗る大きい。
【図面の簡単な説明】
【００１５】
【図１】本発明の実施形態の釣竿スタンドを表わす正面図である。
【図２】本発明の実施形態の釣竿スタンドを表わす上面図である。
【図３】本発明の実施形態の釣竿スタンドの使用状態を表わす説明断面図である。
【図４】本発明の実施形態の釣竿スタンドの使用状態を表わす説明断面図である。
【図５】本発明の実施形態の釣竿スタンドの使用状態を表わす説明断面図である。
【図６】本発明の実施形態の釣竿スタンドの変形例を表わす正面図である。
【図７】本発明の実施形態の釣竿スタンドの変形例の上梁を表わす上面図である。
【図８】本発明の実施形態の釣竿スタンドの変形例の使用状態を表わす説明断面図である。
【発明を実施するための形態】
【００１６】
本発明の実施形態を図１から図８に基づいて説明する。図中、符号１で指示するものは上梁であり、符号２で指示するのは下梁、符号３で指示するものは支柱、符号４で指示するものはブラケットパイプである。
【００１７】
しかして、本発明は、屈曲したグリップＧを有する釣竿Ｒを収納するためのスタンドであって、構成するにあっては、まず、一対の支柱３・３間において、上梁１を奥側に、下梁２を手前側にそれぞれ横架する（図１参照）。
【００１８】
本実施形態では、上梁１および下梁２は、直なる長手の平板状または棒状のものを採用し、支柱３の形状は意匠的な観点および強度面から板状に成形するが、棒状の部材を組み合わせた枠体などを採用することができる。また、これらの使用材料としては木材やプラスチック、金属などを採用することもできる。
【００１９】
次に、前記上梁１における手前側の側縁部には凹入部11を形成する（図２参照）。この凹入部11は収納する竿の本数（ブラケットパイプ４の個数）に合わせた数量を形成することができ、突き当たり部位は緩衝的な曲面状を呈している。
【００２０】
そして、前記下梁２には挿通孔41を有する筒状のブラケットパイプ４を枢支する。この挿通孔41の断面形状は、グリップＧの一般的な断面形状と同じ円形にすることもできるが、矩形や楕円形にしても良い。また、挿通孔41の大きさはグリップＧのグリップエンドから屈曲部までがすべて挿入されて屈曲部が挿通孔上縁に引っ掛かる程度のものが好ましい。
【００２１】
そしてまた、ブラケットパイプ４の枢支部42は、当該挿通孔41の中心軸（図４中の一点鎖線）よりも少なくとも手前側に偏倚した位置に設ける。この枢支部42は、ヒンジ丁番や、ピン、ボルト、ビスなどを採用することができる。
【００２２】
こうすることにより、ブラケットパイプ４が回転する際の挿通孔41の中心軸の軌道は、この中心軸そのものが枢支部42の軸回りに回転する軌道になるため、中心軸上の全地点は必ず移動することになる。したがって、挿通孔41内に釣竿を挿入した場合に荷重が釣り合って静止してしまうことがない。
【００２３】
このようにして構成された釣竿スタンドにおいて、図３および図４に示すように、釣竿ＲのグリップＧのグリップエンドを前記ブラケットパイプ４の挿通孔41を通過させると、まず、当該グリップＧに存在する釣竿Ｒの重心（図４中の×印）が当該挿通孔41下部に移動する。
【００２４】
そして、この状態で使用者は釣竿Ｒから手を放すと、図４に示すように、この重心の位置が釣竿Ｒの自重で下降するに連れて前記枢支部42を軸としてブラケットパイプ４が奥側に回転して（図４中の矢印方向）、釣竿Ｒのロッド部が奥側に傾倒して前記凹入部11内に当接させることができる。
【００２５】
このように、本発明は、屈曲したグリップＧを有する釣竿Ｒの重心が主軸上から偏倚している独自の特性による竿の重心移動を巧みに利用したことによって、ブラケットパイプ４の枢支部42の配設位置と相俟って、釣竿Ｒの自重による自然な作用（振り子）を利用するだけで簡単に収納することができる。
【００２６】
なお、本実施形態では、ブラケットパイプ４の重心よりも上方を下梁２に枢支することができる。枢支部42の位置よりもグリップＧに存在する重心の方を下にすることができ、回転が確実に行われるようにすることができる。また、回転の際のブラケットパイプ４の上端面の移動を少なくすることができ、挿通孔41への挿通作業をより容易にすることができ、かつ、挿入時のロッド部の傾倒もスムースにすることができる。
【００２７】
このようにして収納することにより、グリップエンドが接地せずに釣竿Ｒのロッド部を略鉛直の起立姿勢で保持できるのである。
【００２８】
次に、本実施形態の変形例について説明する。本変形例では、まず、下梁２を手前側と奥側に横架する。そして、それぞれの下梁２にはブラケットパイプ４を互い違いに配設する。こうすることにより、例えば、リールを装着したままの釣竿Ｒであっても、このリール同士が干渉することがない。
【００２９】
そして、上梁１におけるこれら手前側および奥側のブラケットパイプ４の対応位置に、異なる深さの凹入部11を交互に形成することによって、省スペースに複数の釣竿Ｒを保管させることができる。
【００３０】
なお、本実施形態では、ブラケットパイプ４の過回転を規制するストッパー43を配設することができ、釣竿Ｒの挿通孔41の方向を安定させて挿通作業をより容易にすることができるとともに、特に、下梁２を複数設ける場合において、ブラケットパイプ４が他のブラケットパイプ４や釣竿Ｒに干渉するのを防止することができる。
【００３１】
本発明は、概ね上記のように構成されるが、図示の実施形態に限定されるものでは決してなく、「特許請求の範囲」の記載内において種々の変更が可能であって、例えば、上梁１や下梁２、支柱３の長さや材質、ブラケットパイプ４の数量や挿通孔41の大きさ、形状などは、適宜設計変更することができ、これら何れのものも本発明の技術的範囲に属する。
【符号の説明】
【００３２】
１    上梁
11    凹入部
２    下梁
３    支柱
４    ブラケットパイプ
41    挿通孔
42    枢支部
43    ストッパー
Ｒ    釣竿
Ｇ    グリップ
【図１】
2016042794.tif 000003
【図２】
2016042794.tif 000004
【図３】
2016042794.tif 000005
【図４】
2016042794.tif 000006
【図５】
2016042794.tif 000007
【図６】
2016042794.tif 000008
【図７】
2016042794.tif 000009
【図８】
2016042794.tif 000010